(57)【要約】【課題】再生の容易化を図る。【解決手段】分割ヨーク２５が、コイル１３の外側に配置される第１側壁２６と、第１側壁２６と相対峙してコイル１３の外側に配置される第２側壁２７と、第１側壁２６と第２側壁２７とを互いに繋いでボビン１２の中心孔１１の開口突起１４を嵌め込むかまたはコア３を接続するための背壁２８と、第１側壁２６の端部に設けられた凹形状の第１係合部３０と、第２側壁２７の端部に設けられた凸形状の第２係合部３１とを備え、１つの分割ヨーク２５の第１係合部３０ともう１つの分割ヨーク２５の第２係合部３１とが互いにかしめつけられることなく嵌め合わされ、１つの分割ヨーク２５の第２係合部３１ともう１つの分割ヨーク２５の第１係合部３０とが互いにかしめつけられることなく嵌め合わされることによって、同じ形状の２つの分割ヨーク２５が１つのヨーク４を形成している。【選択図】図３
2006253323.tif 000002
【特許請求の範囲】
【請求項１】
中心孔を有する合成樹脂のボビンにコイルを巻き付けた電磁コイルと、ボビンの中心孔の一端部に配置されたコアと、電磁コイルを囲むとともにコアに接続された角筒状の１つのヨークと、ヨークの外側からボビンの中心孔に挿入されたプランジャとを備えた電磁ソレノイド装置において、前記電磁コイルを囲むとともにコアに接続された角筒状の１つのヨークが同じ形状からなる２つの分割ヨークにより構成されるものであって、同じ形状からなる１つの分割ヨークが、コイルの外側に配置される第１側壁と、第１側壁と相対峙してコイルの外側に配置される第２側壁と、第１側壁と第２側壁とを互いに繋ぐボビンの中心孔の開口突起を嵌め込むかまたはコアを接続するための背壁と、第１側壁の端部に設けられた凹形状または凸形状の第１係合部と、第２側壁の端部に設けられた凸形状または凹形状の第２係合部とを備えた形状であり、１つの分割ヨークの第１係合部ともう１つの分割ヨークの第２係合部とが互いにかしめつけられることなく嵌め合わされ、１つの分割ヨークの第２係合部ともう１つの分割ヨークの第１係合部とが互いにかしめつけられることなく嵌め合わされることによって、同じ形状からなる２つの分割ヨークが前記電磁コイルを囲むとともにコアに接続された角筒状の１つのヨークを形成したことを特徴とする電磁ソレノイド装置。
【請求項２】
第１係合部と第２係合部との嵌合が圧入により形成されたことを特徴とする請求項１記載の電磁ソレノイド装置。
【発明の詳細な説明】
【技術分野】
【０００１】
本発明は、再生が容易な電磁ソレノイド装置に関する。
【背景技術】
【０００２】
遊技機には多数の電磁ソレノイド装置が使用されているが、省エネルギーの観点から、使用済として遊技店から回収した遊技機から電磁ソレノイド装置を取り外し、この取り外された電磁ソレノイド装置が製品として再び使用可能であるか否かの検査を行った後、使用可能である電磁ソレノイド装置を新しい遊技機に使用することが考えられている。そして、検査の結果、使用不可能となった電磁ソレノイド装置について検討したところ、電磁コイルとコアおよびプランジャは錆や傷などないものの、ヨークが錆びており、ヨークを交換すると、使用可能となるものが多数存在することが判明した。このようなことから、ヨークを新しいものと交換しようとした場合、ヨークが２つの分割ヨークとが互いにかしめ付けることによって、電磁コイルを囲む角筒状に形成された構造であるため、２つの分割ヨークの分解が面倒であるという欠点があった。
【特許文献１】特開２００３−６８５２３号公報
【発明の開示】
【発明が解決しようとする課題】
【０００３】
発明が解決しようとする問題点は、ヨークの交換が面倒であるという点である。
【課題を解決するための手段】
【０００４】
本発明に係る電磁ソレノイド装置は、中心孔を有する合成樹脂のボビンにコイルを巻き付けた電磁コイルと、ボビンの中心孔の一端部に配置されたコアと、電磁コイルを囲むとともにコアに接続された角筒状の１つのヨークと、ヨークの外側からボビンの中心孔に挿入されたプランジャとを備えた電磁ソレノイド装置において、前記電磁コイルを囲むとともにコアに接続された角筒状の１つのヨークが同じ形状からなる２つの分割ヨークにより構成されるものであって、同じ形状からなる１つの分割ヨークが、コイルの外側に配置される第１側壁と、第１側壁と相対峙してコイルの外側に配置される第２側壁と、第１側壁と第２側壁とを互いに繋いでボビンの中心孔の開口突起を嵌め込むかまたはコアを接続するための背壁と、第１側壁の端部に設けられた凹形状または凸形状の第１係合部と、第２側壁の端部に設けられた凸形状または凹形状の第２係合部とを備えた形状であり、１つの分割ヨークの第１係合部ともう１つの分割ヨークの第２係合部とが互いにかしめつけられることなく嵌め合わされ、１つの分割ヨークの第２係合部ともう１つの分割ヨークの第１係合部とが互いにかしめつけられることなく嵌め合わされることによって、同じ形状からなる２つの分割ヨークが前記電磁コイルを囲むとともにコアに接続された角筒状の１つのヨークを形成したことを最も主要な特徴とする。本発明に係る電磁ソレノイド装置は、第１係合部と第２係合部との嵌合が圧入により形成されてもよい。
【発明の効果】
【０００５】
本発明に係る電磁ソレノイド装置は、電磁ソレノイド装置が使用済として回収され、回収された電磁ソレノイド装置が製品として再び使用可能であるか否かの検査を行われ、検査の結果、使用不可能となった電磁ソレノイド装置において、電磁コイルとコアおよびプランジャが損傷なく、ヨークを交換すると、使用可能となる場合、１つのヨークを構成する２つの分割ヨークが互いに離れる方向に引っ張られることによって、第１係合部と第２係合部の嵌め合いが解除され、２つの分割ヨークを容易に分解することができるという利点がある。分解後、新しいコアの固定された１つの分割ヨークと新しいコアの固定されていないもう１つの分割ヨークとを使用し、こられの新しい２つの分割ヨークと上記分解された使用可能な電磁コイルおよびプランジャによって、電磁ソレノイド装置を組み立てることによって、電磁ソレノイド装置が再生できるという利点がある。第１係合部と第２係合部との嵌合が圧入により形成されれば、１つのヨークを構成する２つの分割ヨークが人によって互いに離れる方向に引っ張られることによって、第１係合部と第２係合部の嵌め合いが解除されるので、分解作業が一層容易となるという利点がある。
【発明を実施するための最良の形態】
【０００６】
図１乃至図３は、発明を実施するための最良の形態である。図１は、電磁ソレノイド装置１を相手側部材５１に取り付けた形態を図２のＢ−Ｂ線に沿い切断した断面を示す。図２は、電磁ソレノイド装置１の外観を示す。図３のａ図は、電磁ソレノイド装置１を分解して示す。図３のｂ図は、コア３の裏側の外観を示す。図３のｃ図は、コア３とストッパ６との寸法関係を示す。この明細書において、「前」、「後」、「裏」、「左」、「右」、「上」、「下」の方向は、図２の状態に電磁ソレノイド装置１を置いて矢印Ａで示す前側から見た場合に特定される方向である。「後」と「裏」とは同じ方向である。
【０００７】
図３を参照し、電磁ソレノイド装置１の構成部品について説明する。図３のａ図に示すように、電磁ソレノイド装置１は、構成部品として、電磁コイル２とコア３とヨーク４とプランジャ５およびストッパ６を備える。電磁コイル２は、前後方向に貫通する中心孔１１を有する合成樹脂のボビン１２にコイル１３を巻き付けた形状であって、コイル１３が口出線４４から電力供給を受けることによって、中心孔１１とコイル１３の外側とを通る環状の磁界を形成し、コイル１３への電力供給が遮断されることによって、消磁する構造である。ボビン１２の前端部には、中心孔１１を囲む筒状の開口突起１４が、ボビン１２の筒状の胴部に巻き付けられたコイル１３を支持する前側の鍔部１５から前側に突出する。ボビン１２の前端部は、ボビン１２におけるプランジャ５の方向に位置する一端部である。
【０００８】
コア３は、中心孔１１の後端部に配置され、電磁コイル２の磁界によって電磁石になり、電磁コイル２の消磁によって電磁石としての機能を失うものであって、基礎部１７とヨーク受止部１８と固定部１９およびストッパ取付孔２０を備える。コア３の配置される中心孔１１の後端部は、中心孔１１のプランジャ５の方向と逆方向に位置する一端部である。基礎部１７は、中心孔１１に収納される部分であって、基礎部１７が中心孔１１に挿入された場合、基礎部１７の外周面が中心孔１１を囲むボビン１２の内周面と接触する、太さの直線的な棒状である。ヨーク受止部１８は、基礎部１７の後端部から基礎部１７の直径方向の外側に突出し、固定部１９が貫通孔２９に挿入された場合、貫通孔２９の周囲における背壁２８に接触する部分である。固定部１９は、基礎部１７と同軸であって、基礎部１７の後端から後側に突出し、分割ヨーク２５に固着される部分である。ストッパ取付孔２０は、基礎部１７とヨーク受止部１８および固定部１９の中心において、基礎部１７の前端面と固定部１９の後端面とに貫通し、ストッパ６を取り付けるための孔である。つまり、ストッパ取付孔２０は、基礎部１７とヨーク受止部１８および固定部１９の中心を前後方向に貫通する。
【０００９】
プランジャ５は、ボビン１２の前側から中心孔１１に中心孔１１の軸方向に移動可能に挿入され、電磁石となったコア３に吸引されて中心孔１１の後端側に向かって移動し、コア３が電磁石の機能を失うと、図外のばねのばね力で中心孔１１の前端側に向かって移動する部材である。ヨーク４は、電磁コイル２を囲むとともにコア３に接続された１つの角筒状であって、電磁コイル２の磁界をコア３に収束させる部材である。ヨーク４は、同じ形状からなる２つの分割ヨーク２５により構成される。同じ形状からなる１つの分割ヨーク２５は、第１側壁２６、第２側壁２７、背壁２８、貫通孔２９、第１係合部３０、第２係合部３１、第１取付孔３２、第２取付孔３３を一体に備えた形状である。第１側壁２６および第２側壁２７は、互いに相対峙し、コイル１３の径方向の外側に配置される部分である。背壁２８は、第１側壁２６および第２側壁２７を互いに繋ぐ部分である。貫通孔２９は、ボビン１２の開口突起１４を嵌め込むかまたはコア３の固定部１９を接続するために、背壁２８に設けられる。第１係合部３０は、第１側壁２６の一端部としての後端部に設けられ、第１側壁２６を上方から見た場合に、方形な凹形状である。第２係合部３１は、第１側壁２６の一端部としての後端部に設けられ、第１側壁２６を下から見た場合に、方形な凸形状である。第１係合部３０の凹形状および第２係合部３１の凸形状は、互いに嵌め合わされる形状である。
【００１０】
第１係合部３０の凹形状と第２係合部３１との凸形状が互いに嵌め合わされる形状について詳述する。第１係合部３０は、互いに平行に相対峙する一対の対向面３４；３５と、対向面３４；３５を互いに繋ぐ１つの連結面３６とによって、第１側壁２６の端面３７から内部に窪む形状である。対向面３４；３５は、中心孔１１の前後方向への軸心と平行になっている。第２係合部３１は、互いに平行に相対峙する一対の対向面３８；３９と、対向面３８；３９を互いに繋ぐ１つの連結面４０とによって、第２側壁２７の後端面から後側に突出する形状である。対向面３８；３９は、中心孔１１の前後方向への軸心と平行になっている。連結面３６と第１側壁２６の端面３７との間の寸法Ｔ１と、連結面４０と第２側壁２７の端面４１との間の寸法Ｔ２とは、同一寸法である（Ｔ１＝Ｔ２）。対向面３４；３５の相対峙する寸法Ｔ３と、対向面３８；３９の相対峙する寸法Ｔ４とは、同一寸法である（Ｔ３＝Ｔ４）。これによって、第１係合部３０と第２係合部３１とが互いに人の力による圧入で嵌め合わされることが可能になっている。そして、第１係合部３０と第２係合部３１とが互いに嵌め合わされると、対向面３４；３５と対向面３８；３９とが互いに接触し、連結面３６と連結面４０とが互いに接触する。
【００１１】
第１取付孔３２は、第１側壁２６に、第１側壁２６の外側面と内側面とへの貫通孔に雌ねじの形成されたねじ孔として形成される。第２取付孔３３は、第２側壁２７に、第２側壁２７の外側面と内側面とへの貫通孔に雌ねじの形成されたねじ孔として形成される。第１取付孔３２と背壁２８との間の寸法Ｌ１と、第２取付孔３３と背壁２８との間の寸法Ｌ２とは、同一寸法である（Ｌ１＝Ｌ２）。ストッパ６は、胴体４２とプランジャ受止部４３とを備える。胴体４２は、ストッパ取付孔２０に挿入される直線的な棒状である。プランジャ受止部４３は、胴体４２の一端に同軸に設けられ、胴体４２の外径よりも大きな外径を有する。プランジャ受止部４３の外径は、ストッパ取付孔２０の口径よりも大きい。
【００１２】
図３のｂ図に示すように、コア３の固定部１９には、固定部１９の後端面から内部への窪み２１が形成される。固定部１９の窪み２１を囲む周壁２２は、コア３をヨーク４に固定する部分を構成する。図３のｃ図に示すように、ストッパ６における胴体４２の前後方向の寸法Ｌ３は、コア３におけるストッパ取付孔２０の前後方向（軸方向）の寸法Ｌ４よりも大きい（Ｌ３＞Ｌ４）。
【００１３】
図３のａ図を参照し、電磁ソレノイド装置１の組み立て方について説明する。ストッパ６の胴体４２が基礎部１７の側からコア３のストッパ取付孔２０に挿入され、プランジャ受止部４３が基礎部１７の一端面に接触し、胴体４２におけるコア３の固定部１９から後側に突出した部分が人または機械によって押し潰されるようにかしめ付けられてストッパ取付孔２０よりも径方向外側に大きな押潰部４５となることによって、押潰部４５およびプランジャ受止部４３がストッパ取付孔２０の前後方向からコア３を挟み、ストッパ６がコア３に固定的に取り付けられ、プランジャ受止部４３がストッパ取付孔２０から前側に突出する。
【００１４】
また、コア３が同じ形状からなる２つの分割ヨーク２５の一方に固定される。その場合、コア３の周壁２２が一方の分割ヨーク２５である１つの分割ヨーク２５の第１側壁２６と第２側壁２７との間から貫通孔２９に挿入され、ヨーク受止部１８が第１側壁２６と第２側壁２７との間に位置する背壁２８の内側面に接触し、周壁２２における背壁２８から外側に突出した部分が人または機械によって窪み２１の内側から外側に押し潰されるようにかしめ付けられることによって貫通孔２９より径方向外側に大きく広がる。これによって、コア３の固定部１９が背壁２８の内面に接触し、上記押し潰された周壁２２の部分およびヨーク受止部１８が背壁２８を前後方向から挟み、コア３が１つの分割ヨーク２５に固定的に取り付けられる。ストッパ６のコア３への取付作業とコア３の１つの分割ヨーク２５への取付作業とは、いずれが先でもよい。
【００１５】
次に、電磁コイル２がコア３の固定された１つの分割ヨーク２５とコア３の固定されていない他方の分割ヨーク２５であるもう１つの分割ヨーク２５とに組み付けられる。その場合、１つの分割ヨーク２５ともう１つの分割ヨーク２５とは、１つの分割ヨーク２５における第１係合部３０ともう１つの分割ヨーク２５における第２係合部３１とが互いに向かい合わせられ、１つの分割ヨーク２５における第２係合部３１ともう１つの分割ヨーク２５における第１係合部３０とが互いに向かい合わせられ、１つの分割ヨーク２５における背壁２８ともう１つの分割ヨーク２５における背壁２８とが互いに向かい合わせられる。
【００１６】
そして、電磁コイル２の開口突起１４がもう１つの分割ヨーク２５における第１側壁２６と第２側壁２７との間から貫通孔２９に挿入され、開口突起１４の周囲における電磁コイル２の鍔部１５の面がもう１つの分割ヨーク２５における背壁２８の内側面に接触する。また、コア３における１つの分割ヨーク２５の背壁２８から前側に突出した基礎部１７が電磁コイル２の開口突起１４の設けられていない方の鍔部１５の側から中心孔１１に挿入されて中心孔１１の一端部に配置される。これによって、電磁コイル２の中心孔１１を囲むボビン１２の内周面と基礎部１７の外周面とが互いに接触し、電磁コイル２の開口突起１４の設けられていない方の鍔部１５とヨーク受止部１８とが互いに接触する。
【００１７】
それから、１つの分割ヨーク２５の背壁２８ともう１つの分割ヨーク２５の背壁２８とにおける対向間隔が狭くなるように、１つの分割ヨーク２５およびもう１つの分割ヨーク２５が互いに近づけられることによって、第１係合部３０と第２係合部３１とが互いにかしめつけられることなく嵌め合わされる。これによって、２つの分割ヨーク２５が、電磁コイル２を囲むとともにコア３に接続された角筒状の１つのヨーク４として構成される。その後、プランジャ５が開口突起１４の側から中心孔１１に挿入されると、プランジャ５が中心孔１１に配置されたコア３のプランジャ受止部４３に衝突し、それ以上、プランジャ５が中心孔１１に挿入されないように停止する。これによって、電磁ソレノイド装置１が図１に示す形状に組み立てられる。電磁ソレノイド装置１が組み立てられた後、テープやリボン状の固着部材が１つの分割ヨーク２５ともう１つの分割ヨーク２５とに外側から第１取付孔３２と第２取付孔３３とを塞がないように鉢巻状に巻き付けられれば、第１係合部３０と第２係合部３１とのかしめつけられていな嵌め合いが解除されることはないという利点がある。
【００１８】
図１において、前記のように組み立てられた電磁ソレノイド装置１は、電磁ソレノイド装置１を取り付けるための一体に構成された相手側部材５１に止ねじ５２で固定的に取り付けられる。相手側部材５１は、遊技機の場合、羽根、開閉体、扉、スライダー、可動体など動く部材（電磁ソレノイド装置１によって動作される部材）を有する遊技部品によって構成される。具体的には、電磁ソレノイド装置１が遊技部品である相手側部材５１に取り付けられ、電磁ソレノイド装置１のプランジャ５が遊技部品の動く部材にリンク機構で連結され、リンク機構またはプランジャ５にばねが取り付けられる。そして、電磁コイル２のコイル１３が電力供給を受けると、電磁コイル２に発生した磁界がコア３に収束し、コア３がプランジャ５を磁力で吸引し、プランジャ５が中心孔１１で誘導されつつ中心孔１１の後端側に移動してプランジャ受止部４３に衝突する。このようにプランジャ５が移動する過程において、上記リンク機構またはプランジャ５に取り付けられたばねが圧縮または伸張してばね力を蓄える。上記コイル１３への電力供給が遮断されると、電磁コイル２に発生した磁界が消磁し、上記ばねが蓄えたばね力を放出するように伸張または圧縮し、このばねから放出されたばね力がプランジャ５を中心孔１１で誘導されつつ中心孔１１の前端側に移動する。このように、プランジャ５が中心孔１１で誘導されつつ中心孔１１の後端側に移動したり前端側に移動したりする、プランジャ５の動作によって、遊技部品における動く部材が作動する。
【００１９】
相手側部材５１には、止ねじ５２のねじ部を挿入するための貫通孔なる複数の取付孔５３が、組み立てられた電磁ソレノイド装置１の一側に位置する第１取付孔３２と第２取付孔３３とに対応する位置に設けられる。そして、止ねじ５２が相手側部材５１の外側から複数の取付孔５３を経由して組み立てられた電磁ソレノイド装置１の一側に位置する第１取付孔３２と第２取付孔３３とに締結されることによって、ヨーク４を構成している２つの分割ヨーク２５が相手側部材５１に固定され、第１係合部３０と第２係合部３１との嵌め合いが適切に維持され、電磁ソレノイド装置１の機能が発揮できるという利点がある。
【００２０】
最良の形態における電磁ソレノイド装置１は、電磁コイル２を囲むとともにコア３に接続された角筒状の１つのヨーク４が同じ形状からなる２つの分割ヨーク２５により構成されるものであって、同じ形状からなる１つの分割ヨーク２５が、コイル１３の外側に配置される第１側壁２６と、第１側壁２６と相対峙してコイル１３の外側に配置される第２側壁２７と、第１側壁２６と第２側壁２７とを互いに連接してボビン１２の中心孔１１の開口突起１４を嵌め込むかまたはコア３を接続するための背壁２８と、第１側壁２６の端部に設けられた凹形状の第１係合部３０と、第２側壁２７の端部に設けられた凸形状の第２係合部３１とを備えた形状であり、１つの分割ヨーク２５における第１係合部３０ともう１つの分割ヨーク２５における第２係合部３１とが互いに嵌め合わされ、１つの分割ヨーク２５における第２係合部３１ともう１つの分割ヨーク２５における第１係合部３０とが互いに嵌め合わされることによって、同じ形状からなる２つの分割ヨーク２５が前記電磁コイル２を囲むとともにコア３に接続された角筒状の１つのヨーク４を形成した構造である。
【００２１】
このため、電磁ソレノイド装置１が使用済として回収され、回収された電磁ソレノイド装置１が製品として再び使用可能であるか否かの検査を行われ、検査の結果、使用不可能となった電磁ソレノイド装置１において、電磁コイル２とコア３およびプランジャ５が錆や傷など損傷のないものの、ヨーク４が錆びており、ヨーク４を交換すると、使用可能となる場合、止ねじ５２が取り外され、電磁ソレノイド装置１が相手側部材５１から取り外された状態において、人が１つのヨーク４を構成する２つの分割ヨーク２５を互いに離れる方向つまり前後方向に引っ張ることによって、第１係合部３０と第２係合部３１の嵌め合いが解除され、２つの分割ヨーク２５を容易に分解することができるという利点がある。分解後、新しいコア３の固定された１つの分割ヨーク２５と新しいコア３の固定されていないもう１つの分割ヨーク２５とを使用し、こられの新しい２つの分割ヨーク２５と上記分解された使用可能な電磁コイル２およびプランジャ５によって、電磁ソレノイド装置１を組み立てることによって、電磁ソレノイド装置１が再生できるという利点がある。
【００２２】
ストッパ６の胴体４２の外周面に雄ねじを形成し、コア３のストッパ取付孔２０の内周面に雌ねじを形成し、胴体４２をコア３の前側からストッパ取付孔２０に締結し、プランジャ受止部４３をコア３の前面に接触させることによって、ストッパ６をコア３に結合してもよいが、ストッパ６に押潰部４５が形成されたことによって、ストッパ６がコア３に結合されているので、上記ストッパ６を雄ねじと雌ねじとによるねじ嵌合でコア３に結合した場合よりも、ストッパ６のコア３への結合が強固である。よって、プランジャ５がプランジャ受止部４３に衝突する衝撃によって、ストッパ６とコア３との結合が弛むことがないという利点がある。
【００２３】
コア３が１つの分割ヨーク２５に貫通孔２９を介して結合され、コア３の基礎部１７の外周面が中心孔１１を囲むボビン１２の内周面に接触して中心孔１１に収納され、電磁コイル２の開口突起１４がもう１つの分割ヨーク２５の貫通孔２９に嵌め込まれているので、２つの分割ヨーク２５からなる１つのヨーク４の形態、電磁コイル２が２つの分割ヨーク２５からなる１つのヨーク４の内部に配置された形態が適切に保持され、プランジャ５が中心孔１１の内部で前後方向に移動する、電磁ソレノイド装置１の本来の性能が好適に発揮できるという利点がある。
【産業上の利用可能性】
【００２４】
図４は、異なる第１の形態に係る分割ヨーク２５の分割位置を示す。図４に示すように、最良の形態では、１つの分割ヨーク２５ともう１つの分割ヨーク２５との分割線Ｘ１を、１つのヨーク４における前後方向の２等分位置に設定したが、これに限定されるものではない。つまり、１つの分割ヨーク２５ともう１つの分割ヨーク２５との分割線Ｘ２が、１つのヨーク４における一側の第１取付孔３２と第２取付孔３３との間に位置するように設定されれば、同様に適用できる。分割線Ｘ１；Ｘ２は、第１側壁２６の端面３７と第２側壁２７の端面４１とにより形成され、第１側壁２６と第２側壁２７とが互いに接触する場合の合わせ面を構成する。
【００２５】
図５は、異なる第２の形態に係る第１係合部と第２係合部との種々の形状を平面的に示す。図５に示すように、第１係合部３０の凹形状と第２係合部３１の凸形状を形成してもよい。具体的には、図５のａ図では、第１係合部３０は、連結面３６が前側に弧状に窪む弧面となった凹形状であり、第２係合部３１は、連結面４０が後側に弧状に突出する弧面となった凸形状であって、第１係合部３０と第２係合部３１とが互いに嵌め合わされることによって、対向面３４；３５と対向面３８；３９とが互いに接触し、弧状の連結面３６と弧状の連結面４０とが互いに接触する。図５のｂ図では、第１係合部３０が第１側壁２６の端面３７から内部に弧状に窪む弧面４６からなる凹形状であり、第２係合部３１が第２側壁２７の後端面から後側に弧状に突出する弧面４７からなる凸形状であって、第１係合部３０と第２係合部３１とが互いに嵌め合わされることによって、弧面６６と弧面４７とが互いに接触する。つまり、図５のｂ図は、図５のａ図における対向面３４；３５；３８；３９が取り除かれた形状である。図５のｃ図では、第１係合部３０は、対向面３４；３５が第１側壁２６の端面３７から内部に行くにしたがって徐々に左右の幅が狭くなる三角形に窪む凹形状であり、第２係合部３１は、対向面３４；３５が第２側壁２７の後端面から後側に行くにしたがって徐々に左右の幅が狭くなる三角形に突出する凸形状であって、第１係合部３０と第２係合部３１とが互いに嵌め合わされることによって、対向面３４；３５と対向面３８；３９とが互いに接触する。つまり、図５のｃ図は、図５のａ図における連結面３６および連結面４０が取り除かれた形状である。図５のｄ図では、第１係合部３０は、連結面３６が前側に行くにしたがって徐々に左右の幅が狭くなる三角形に窪む凹形状であり、第２係合部３１は、連結面４０が後側に行くにしたがって徐々に左右の幅が狭くなる三角形に突出する凸形状であって、第１係合部３０と第２係合部３１とが互いに嵌め合わされることによって、対向面３４；３５と対向面３８；３９とが互いに接触し、三角形の連結面３６と三角形の連結面４０とが互いに接触する。つまり、図５のｄ図は、図５のａ図における連結面３６および連結面４０が三角形になった形状である。
【００２６】
図６および図７は、異なる第３の形態である。図６は、電磁ソレノイド装置１を分解して示す。図７は、電磁ソレノイド装置１を相手側部材５１に取り付けた形態を図２のＢ−Ｂ線に沿い切断した断面に相当する断面を示す。
【００２７】
図６を参照し、電磁ソレノイド装置１の構成部品について説明する。分割ヨーク２５は、結合収容部４８および結合孔４９を、背壁２８における貫通孔２９の周囲に備える。結合収容部４８は、コア支持体５５を取り込むための窪みであって、貫通孔２９を同軸状に囲み、背壁２８の外側面から内部に窪む凹部として、背壁２８に設けられる。結合孔４９は、リベット６１を挿入するための孔であって、結合収容部４８の外側面と背壁２８の内側面とへの貫通孔として、背壁２８に形成される。コア支持体５５は、コア３または分割ヨーク２５と同じ材質の磁性体により、支持基盤５６とコア結合部５７とストッパ取付孔５８と結合孔５９および逃部６０を一体に備えた構造である。支持基盤５６は、結合収容部４８に嵌め込まれることによって、背壁２８における結合収容部４８を囲む面に接触する、大きさである。コア結合部５７は、貫通孔２９に嵌め込まれることによって、背壁２８における貫通孔２９を囲む面に接触する大きさであって、支持基盤５６と同軸状に、支持基盤５６の前側面から前側に突出する。ストッパ取付孔５８は、ストッパ６の胴体４２を挿入する孔であって、コア支持体５５の中心において、コア結合部５７の前側面と支持基盤５６の裏側面とに貫通する。結合孔５９は、リベット６１を挿入するための孔であって、支持基盤５６への貫通孔として、コア結合部５７よりも径方向外側に位置する支持基盤５６に設けられる。リベット６１は、結合孔４９；５９に挿入可能な太さの棒状の胴体６２と、胴体６２の一端に胴体６２よりも外径の大きな形状に設けられた頭部６３とを備える。コア３は、図２に示すコア３からヨーク受止部１８および固定部１９を取り除いた形状であって、基礎部１７にストッパ取付孔２０を形成した構造である。
【００２８】
電磁ソレノイド装置１の組み立て方について説明する。コア３とコア結合部５７とが互いに重ね合わされ、ストッパ６の胴体４２が基礎部１７の側からストッパ取付孔２０からストッパ取付孔５８に挿入され、胴体４２における支持基盤５６の逃部６０から後側に突出した部分が人または機械によって押し潰されるようにかしめ付けられてストッパ取付孔２０よりも径方向外側に大きな押潰部６４（図７参照）となることによって、押潰部６４およびプランジャ受止部４３がストッパ取付孔２０；５８の前後方向からコア３およびコア支持体５５を挟み、コア３がコア支持体５５にストッパ６で固定的に取り付けられ、プランジャ受止部４３がストッパ取付孔２０から前側に突出する。また、コア３およびコア結合部５７が１つの分割ヨーク２５の外側から貫通孔２９に挿入され、支持基盤５６が結合収容部４８に挿入され、リベット６１の胴体が結合孔４９；５９に挿入され、リベット６１における支持基盤５６から後側または背壁２８から前側に突出した部分が人または機械によって押し潰されるようにかしめ付けられることによって、コア３を有するコア支持体５５が１つの分割ヨーク２５に結合される。コア３がコア支持体５５に取り付けられた後に、コア支持体５５が分割ヨーク２５に結合されるか、または、コア支持体５５が分割ヨーク２５に結合された後に、コア３がコア支持体５５に取り付けられるかのいずれかでよい。
【００２９】
さらに、電磁コイル２の開口突起１４がもう１つの分割ヨーク２５における第１側壁２６と第２側壁２７との間から貫通孔２９に挿入され、コア３が電磁コイル２の開口突起１４の設けられていない方の鍔部１５の側から中心孔１１に挿入されて中心孔１１の一端部に配置され、１つの分割ヨーク２５の背壁２８ともう１つの分割ヨーク２５の背壁２８とにおける対向間隔が狭くなるように、１つの分割ヨーク２５およびもう１つの分割ヨーク２５が互いに近づけられることによって、第１係合部３０と第２係合部３１とが互いにかしめつけられることなく嵌め合わされ、プランジャ５が開口突起１４の側から中心孔１１に挿入されると、プランジャ５が中心孔１１に配置されたコア３のプランジャ受止部４３に衝突し、それ以上、プランジャ５が中心孔１１に挿入されないように停止する。これによって、電磁ソレノイド装置１が図６に示す形状に組み立てられる。
【００３０】
前記のように組み立てられた電磁ソレノイド装置１は、止ねじ５２が相手側部材５１の外側から複数の取付孔５３を経由して電磁ソレノイド装置１の一側に位置する第１取付孔３２と第２取付孔３３とに締結されることによって、ヨーク４を構成している２つの分割ヨーク２５が相手側部材５１に固定される。異なる第３の形態によれば、コア３とコア支持体５５とを結合するストッパ６を取り外すか、分割ヨーク２５とコア支持体５５とを結合するリベット６１を取り外すことによって、分割ヨーク２５を新しいものと交換する場合、コア３およびコア支持体５５を再使用することができるという利点がある。
【００３１】
図示は省略するが、第１係合部３０を第２係合部３１に類似する凸形状に形成し、第２係合部３１を第１係合部３０に類似する凹形状に形成してもよい。
【００３２】
最良の形態では、第１係合部３０と第２係合部３１を人の力で圧入されるように形成したが、第１係合部３０と第２係合部３１を人の力で圧入することなく嵌め合わせるように形成し、第１係合部３０と第２係合部３１を嵌め合わせる場合に第１係合部３０と第２係合部３１を接着剤で結合してもよい。この場合、接着剤の厚さは、第１係合部３０と第２係合部３１との間における磁界の連続性が維持されるエアギャップの範囲に限定されるが、接着剤が硬化するので、電磁ソレノイド装置１を分解する場合、ヨーク４を外側からハンマのような工具で叩き、第１係合部３０と第２係合部３１とに衝撃を与えることによって、硬化した接着剤による第１係合部３０と第２係合部３１との結合を破壊すれば、電磁ソレノイド装置１を容易に分解することができる。
【図面の簡単な説明】
【００３３】
【図１】電磁ソレノイド装置を相手側部材に取り付けた形態を示す図２のＢ−Ｂ線断面図（最良の形態）。
【図２】電磁ソレノイド装置を示す外観斜視図（最良の形態）。
【図３】ａ図は電磁ソレノイド装置を示す分解斜視図、ｂ図はコアの裏側を示す斜視図、ｃ図はストッパとコアとの寸法関係を示す模式図（最良の形態）。
【図４】分割ヨークの分割位置を示す断面図（異なる第１形態）。
【図５】第１係合部と第２係合部との種々の形状を示す模式図（異なる第２形態）。
【図６】電磁ソレノイド装置を示す分解斜視図（異なる第３形態）。
【図７】電磁ソレノイド装置を相手側部材に取り付けた形態を示す断面図（異なる第３形態）。
【符号の説明】
【００３４】
１    電磁ソレノイド装置
２    電磁コイル
３    コア
４    ヨーク
５    プランジャ
１１  中心孔
１２  ボビン
１３  コイル
１４  開口突起
２６  第１側壁
２７  第２側壁
２８  背壁
２９  貫通孔
３０  第１係合部
３１  第２係合部
３２  第１取付孔
３３  第２取付孔
【図１】
2006253323.tif 000003
【図２】
2006253323.tif 000004
【図３】
2006253323.tif 000005
【図４】
2006253323.tif 000006
【図５】
2006253323.tif 000007
【図６】
2006253323.tif 000008
【図７】
2006253323.tif 000009